(57)【要約】眼鏡のフロントフレーム（１０）の左右両端部裏面（１１）に露出面が現れる様に強い磁石（２０）を配し、テンプル（３０）の合口面にも露出するように強い磁石（２１）を配し、それらを互いに吸着する様に配列し、前記フロントフレームとテンプルとが約９０度の角度で連結され、更に、その強い磁着力により、弾性的に外側に約９０度過開拡可能に、且つ復帰可能に設けた。そうする事により、テンプルの組立て交換が容易に行える事となる。
2009113187.tif 000002
【特許請求の範囲】
【請求項１】
眼鏡のフロントフレームはその左右両端部裏面に露出面が現れる様にされた各々少なくとも一つの磁石を有し、そして、テンプルは、その合口部面に露出するようにされた磁石を有し、前記フロントフレーム側磁石とテンプル側磁石とが互いに吸着し合う様に配され、その強い磁着力によりフロントフレームとテンプルとが互いにほぼ９０度の角度で連結可能とされ、前記テンプルが前記磁着力により弾性的に外側に過開拡可能にそして復帰可能にされた事を特徴とする、眼鏡のフロントフレームとテンプルの連結構造。
【請求項２】
前記テンプルは前記磁着力により弾性的に外側に約９０度、すなわち前記テンプルにほぼ平行にまで過開拡可能にそして復帰可能にされた事を特徴とする請求の範囲第１項に記載の眼鏡のフロントフレームとテンプルの連結構造。
【請求項３】
前記テンプルが吸着磁石面で摺動回転をしないように、フロントフレーム左右両端部裏面又はテンプル合口部面に互いに嵌合する部分を設けた事を特徴とする請求の範囲第１項に記載の眼鏡のフロントフレームとテンプルの連結構造。
【請求項４】
前記フロントフレームの左右両端部裏面の前記磁石に対し内側にほぼ直角に同じ磁極面を有する様に配された他の磁石を有する様にされ、テンプルが折り畳み可能にされた事を特徴とする、請求の範囲第１項に記載の眼鏡のフロントフレームとテンプルの連結構造。
【請求項５】
前記フロントフレーム左右両端部裏面のそれぞれの磁石が、内側に部分的な曲面を有する様に形成され、そして、テンプルがその曲面に沿って磁着しながら摺動しフロントフレーム内側に折り畳み可能にされた事を特徴とする請求の範囲第１項に記載の眼鏡のフロントフレームとテンプルの連結構造。
【請求項６】
合口面に磁石が設けられた交換可能な複数のテンプルが用意された事を特徴とする請求の範囲第１項から第５項の何れか１項に記載の眼鏡のフロントフレームとテンプルの連結構造。
【発明の詳細な説明】
【技術分野】
【０００１】
本発明は、眼鏡のフロントフレームとテンプルとのネジ無し、軸無しで、且つ、着脱自在な連結構造に関する。
【背景技術】
【０００２】
従来、眼鏡のフロントフレームとテンプルとの連結構造に於いては、ネジ又はピンを用いた丁番による結合、それにバネを付加したバネ丁番による結合が用いられて来ている。又、日本登録実用新案第３，１３２，０３１号のように丁番プラス磁石による連結が開示されている物もある。しかし、上記いずれに於いても、眼に見えないほどのネジやピン、ナットを用いて細かい作業をしなければならず、作業効率が極めて悪く、又、ネジ等の山やネジ受け部分も小さくならざるを得ず、緩み易くなってしまい、眼鏡がぐらつく結果になってしまい視力を更に悪くするようになってしまっていた。更にばね丁番にいたっては余計に複雑で小売店でも修理等は不可能であった。ましてやユーザーがテンプルの交換を行う事など不可能であった。
【発明の開示】
【０００３】
本発明は、眼鏡のフロントフレームの左右両端部裏面に露出面が現れる様に磁石を配し、テンプルの合口面にも露出する様に磁石を配し、それらを互いに吸着し合う様に配列し、強い磁着力によりフロントフレームとテンプルとがほぼ９０度の角度で連結し、前記磁着力によりテンプルが弾性的に外側にほぼ９０度過開拡可能に、そして復帰可能に設けた。このことにより、ネジやピンを用いる事無く、フロントフレームとテンプルの連結が可能になり、更にバネヒンジよりも外側に開き、復帰も可能で、テンプルの交換もユーザーでも簡単に出来るようになった。
又、本発明は、フロントフレームとテンプルに嵌合部分を設けテンプルの軸を中心とした回転を防止し、更に、別の磁石を元の磁石の内側に配置するか、或いは、磁石に湾出部分を設ける事により、テンプルの折り畳みをも可能にした。よって、製造の際の熟練が不要となり、作業効率が良く、不良品の発生も少なくなった。又、色んなテンプルをユーザー自身が簡単に交換出来る事により、ファッション性も向上する。
【図面の簡単な説明】
【０００４】
第１図は、本発明の組立て前の全体平面図であり、第２図は、本発明の組立て後の全体平面図であり、第３図は、説明用の要部拡大斜視図であり、第４図は、本発明の他の実施例の要部拡大斜視図であり、第５図は本発明の他の実施例の要部平面図であり、第６図は、本発明の他の実施例の要部平面図であり、第７図は本発明の使用法説明用斜視図である。
【発明を実施するための最良の形態】
【０００５】
図１は、本発明の眼鏡１の連結構造の組立て前の全体平面図であり、フロントフレーム１０の左右両端部１１の裏面１２に露出面２２が現れるようにされた磁石２０が埋設されている。本発明の実施に使用した磁石は、ネオジム磁石で、大きさは直径約２ｍｍ〜８ｍｍのもので、永久磁石としては非常に強い物を使用した。勿論これにこだわる物ではない。そして、テンプル３０は、その合口部面３１に表面が露出する様にされた磁石２１が埋設されている。この磁石も前記フロントフレーム側の磁石と同様にネオジム磁石である事が好ましいが、実験の結果、強磁性体であってもよかった。前記フロントフレーム側磁石２０とテンプル側磁石２１は互いに吸着し合う様に配置される。そして、フロントフレーム１０とテンプル３０とはほぼ９０度の角度で連結される。この連結角度は、８０度〜１１０度位までは可能で、眼鏡を掛ける際はその角度内で差し支えなかった。
図２は、前記フロントフレーム１０とテンプル３０が磁着連結されユーザーの頭部４０に装着された全体平面図であり、ユーザーが眼鏡を掛ける時は、テンプル３０は、前記磁石の強い磁着力により外側Ｐ方向に約９０度、フロントフレーム面にほぼ平行にまで開き、そして復帰する事が可能であるので、頭部に簡単に装着出来、僅かに残る弾性復帰力により装用感も良く、フロントフレームとテンプルが外れるような事も全く無かった。勿論第３図の様に、磁着面２３でテンプル３０が摺動回転しない様に、第４図の様に、互いに嵌合するような凹凸３５，３６を設けて回転を防止するようにしても良い。勿論、この嵌合部もこの図の形状に限定されるものではない。
次に、第５図は、本発明の他の実施例の要部拡大平面図であり、フロントフレーム１０ａの左右両端部裏面の上記磁石２０ａに対し内側にほぼ直角に同じ磁極面を有する他の磁石２４を埋設した。こうする事により、テンプル３０ａは開拡した位置から折り畳み位置Ｑ迄回動される事が可能となり、更に使い易くなる。
又、図６の様に、フロントフレーム１０ｂの端部裏面の磁石２５が内側に於いて部分的に曲面２７を有する様に形成され、そして、テンプル３０ｂがその曲面２７に沿って磁着しながら摺動回動し、フロントフレーム内側に折り畳まれる様にされても良い。又、図５や図６の場合でも、テンプルは通常の拡げた位置から更に約９０度外側に過開拡可能で、ほぼ１８０度に渡って往復折り畳み、開拡が可能である。
そして、本発明により、図７の如く、テンプル３０ｃ、３０ｄ、３０ｅ‥を用意する事により、ユーザーでも、特殊なネジ回しやその他の特別な工具等無しに、簡単に交換できる事が可能となった。
【図１】
2009113187.tif 000003
【図２】
2009113187.tif 000004
【図３】
2009113187.tif 000005
【図４】
2009113187.tif 000006
【図５】
2009113187.tif 000007
【図６】
2009113187.tif 000008
【図７】
2009113187.tif 000009
【国際調査報告】
2009113187.tif 000010
2009113187.tif 000011
2009113187.tif 000012
2009113187.tif 000013